(57)【特許請求の範囲】
【請求項１】
お互い対向離隔された前面基板と背面基板を有し、前記基板間にX及びY電極ラインがお互い並んで形成され、アドレス電極ラインが前記X及びY電極ラインに対して直交に形成されて、各交差点に相応する放電セルが設定されるプラズマディスプレイパネルに対して、前記X電極ラインを複数のXグループに等分し前記Y電極ラインも複数のYグループに等分するが、お互い隣接した各々のXY電極ライン対が属する各々のXYグループ対を全て異に設定し、前記X、Y電極ラインをX、Yグループ単位で共通結線して駆動するが、単位ディスプレイ周期で階調ディスプレイのための少なくとも第１及び第２サブフィールドを重畳的に駆動する方法において、
前記第１サブフィールドの一XY電極ライン対が属するXYグループ対のY電極ラインに第２極性のリセットパルスを印加すると同時にX電極ラインに前記第２極性と反対の第１極性のリセットパルスを印加して壁電荷を消去した後に、前記第１サブフィールドの一XY電極ライン対が属するXYグループ対のY電極ラインに前記第１極性のY走査パルスを印加すると同時に、X電極ラインに前記第２極性のX走査パルスを印加して、前記XY電極ライン対周囲の放電空間に壁電荷を形成する走査段階と、
前記第１サブフィールドのXY電極ライン対に相応するデータ信号を全てのアドレス電極ラインに印加し、前記データ信号のパルスが印加される間に、前記XY電極ライン対が属するXYグループ対の電極ラインに前記データ信号と反対極性のバイアスパルスを印加して、選択されない放電セルに形成された壁電荷を消去するアドレス段階と、
前記XY電極ライン対が属するXYグループ対の電極ラインにディスプレイパルスを交互に印加して、壁電荷が形成されている放電セルでディスプレイ放電を起こせるディスプレイ段階と、
前記第２サブフィールドの一XY電極ライン対が属するXYグループ対に対して前記走査、アドレス及びディスプレイ段階を遂行するが、前記アドレス段階を相異なる時間に遂行させる第２駆動段階と、
前記走査、アドレス、ディスプレイ及び第２駆動段階を前記第１及び第２サブフィールドの残りのXY電極ライン対が属するXYグループ対に対して反復遂行する反復段階とを含むプラズマディスプレイパネルの駆動方法。
【請求項２】
前記ディスプレイ段階で、
前記XYグループ対の電極ラインに前記各々のディスプレイパルスを印加される前に、前記アドレス段階で印加されるバイアスパルスと同じ極性と電圧のバイアスパルスを前記XYグループ対の電極ラインに各々印加することを特徴とする請求項１に記載のプラズマディスプレイパネルの駆動方法。
【請求項３】
前記走査段階で、
前記リセットパルスが印加された後から前記走査パルスが印加される前まで、一定の休止時間が存在することを特徴とする請求項１に記載のプラズマディスプレイパネルの駆動方法。
【請求項４】
前記走査段階で、
前記休止時間に空間電荷を適切に消去するために前記ディスプレイパルスより波高値が低い休止パルスが前記XY電極ライン対が属するXYグループ対の電極ラインに印加されることを特徴とする請求項３に記載のプラズマディスプレイパネルの駆動方法。
【請求項５】
前記走査段階が終った時点から前記アドレス段階が始まる時点間に、一定の休止時間が存在することを特徴とする請求項１に記載のプラズマディスプレイパネルの駆動方法。
【請求項６】
前記休止時間に空間電荷を適切に消去するために前記ディスプレイパルスより波高値が低い休止パルスが前記XY電極ライン対が属するXYグループ対の電極ラインに印加されることを特徴とする請求項５に記載のプラズマディスプレイパネルの駆動方法。
【請求項７】
前記アドレス段階が終った時点から前記ディスプレイ段階が始まる時点間に、一定の休止時間が存在することを特徴とする請求項１に記載のプラズマディスプレイパネルの駆動方法。
【請求項８】
前記休止時間に空間電荷を適切に消去するために前記ディスプレイパルスより波高値が低い休止パルスが前記XY電極ライン対が属するXYグループ対の電極ラインに印加されることを特徴とする請求項７に記載のプラズマディスプレイパネルの駆動方法。
【発明の詳細な説明】
【０００１】
【発明の属する技術分野】
本発明は、プラズマディスプレイパネルの駆動方法に係り、より詳細には、３-電極面放電方式のプラズマディスプレイパネルの駆動方法に関する。
【０００２】
【従来の技術】
図１５は一般の３-電極面放電方式のプラズマ表示パネルの構造を示す。図１６は図１５のパネルの一放電セルを示す。図１５及び１６を参照すれば、一般の面放電プラズマ表示パネル１の前方及び後方のグラス基板１０、１３間には、アドレス電極ラインAR1,AG1,...,AGm,ABm、誘電体層１１、１５、Y電極ラインY1,...,Yn、X電極ラインX1,...,Xn、蛍光層１６、隔壁１７及び保護層としての一酸化マグネシウム層１２が備えられている。
【０００３】
アドレス電極ラインAR1,AG1,...,AGm,ABmは後方グラス基板１３の前面に一定のパターンで形成される。下部誘電体層１５はアドレス電極ラインAR1,AG1,...,AGm,ABmの前で形成される。下部誘電体層１５の前面には隔壁１７がアドレス電極ラインAR1,AG1,...,AGm,ABmと平行した方向に形成される。この隔壁１７は、各放電セルの放電領域を区画し各放電セル間の光学的干渉を防止する機能をする。蛍光層１６は隔壁１７間に形成される。
【０００４】
X電極ラインX1,...,XnとY電極ラインY1,...,Ynは、アドレス電極ラインAR1,AG1,...,AGm,ABmと直交するように前方のグラス基板１０の背面に一定のパターンで形成される。各交差点は相応する放電セルを規定する。各X電極ラインX1,...,Xnと各Y電極ラインY1,...,Ynは、透明な導電性材質のITO(Indium  Tin  Oxide)電極ライン(図２のXna、Yna)と金属材質のバス電極ライン(図２のXnb、Ynb)が結合されて形成される。上部誘電体層１１は、X電極ラインX1,...,XnとY電極ラインY1,...,Ynの後に形成される。強い電界からパネル１を保護するための一酸化マグネシウム層１２は、上部誘電体層１１の背面に全面塗布されて形成される。放電空間１４にはプラズマ形成用ガスが密封される。
【０００５】
このようなプラズマ表示パネルに基本的に適用される駆動方式は、初期化、アドレス及びディスプレイ段階を単位サブフィールドで順次に遂行させる方式である。初期化段階では以前サブフィールドでの残余壁電荷が消去され空間電荷が均等に生成されるように駆動する。アドレス段階では選択された放電セルで壁電荷が形成されるように駆動する。そしてディスプレイ段階では、アドレッシング放電段階で壁電荷が形成された放電セルで光が発生するように駆動する。即ち、全てのX電極ラインX1,...,Xnと全てのY電極ラインY1,...,Ynに相対的に高い電圧のパルスを交互に印加すれば、壁電荷が形成された放電セルで面放電を起こす。この時、放電空間１４のガス層でプラズマが形成され、その紫外線放射によって蛍光層１６が励起されて光が発生する。
【０００６】
前述された駆動方式において、プラズマ表示パネルに階調表示を遂行させるために、単位表示周期のフレームを相異なる表示時間のサブフィールドに分割して階調表示を遂行する時分割駆動方法が適用される。例えば、８ビットの映像データとして２５６(２8)階調表示を遂行させるために、単位表示周期のフレーム(順次駆動方式の場合)またはフィールド(飛越し駆動方式の場合)ごとに８つのサブフィールドが設定される。ここで、各サブフィールドを単位表示周期上で配列する方式によって、アドレス-ディスプレイ分離駆動方式とアドレス-ディスプレイ重畳駆動方式がある。
【０００７】
アドレス-ディスプレイ分離駆動方式は、単位表示周期で各サブフィールドの時間領域が分離されているので、各サブフィールドでアドレス周期とディスプレイ周期の時間領域もお互い分離されている。従って、アドレス周期で各XY電極ライン対が自分のアドレッシングが遂行された後に他のXY電極ライン対が全てアドレッシングされるまで待つべきである。結局各サブフィールドに対してアドレス周期が占める時間が延びてディスプレイ周期が相対的に短くなる。このようなアドレス-ディスプレイ分離駆動方式は、駆動回路及びアルゴリズムが単純であるという長所がある反面に、プラズマディスプレイパネルから出射される光の輝度が低いという短所がある。
【０００８】
アドレス-ディスプレイ重畳駆動方式は、単位表示周期で各サブフィールドの時間領域が重畳されているので、各サブフィールドでアドレス周期とディスプレイ周期の時間領域もお互い重畳されている。従って、アドレス周期で各XY電極ライン対が自分のアドレッシングが遂行された後に直ぐディスプレイ放電を遂行する。結局各サブフィールドに対してアドレス周期が占める時間が短くなってディスプレイ周期が相対的に延びる。このようなアドレス-ディスプレイ重畳駆動方式は、駆動回路及びアルゴリズムが複雑であるという短所がある反面に、プラズマディスプレイパネルから出射される光の輝度が高いという長所がある。
【０００９】
一方、本出願人は、X電極ラインX1,...,Xnを複数のXグループに等分し、Y電極ラインY1,...,Ynも複数のYグループに等分するが、お互い隣接した各々のXY電極ライン対が属する各々のXYグループ対を全て異に設定し、前記X、Y電極ラインをX、Yグループ単位で共通結線して駆動する論理積(AND  Logic)駆動方法を示したことがある(米国特許出願番号０９／０８１，８２７)。この駆動方法によれば、論理積駆動方法をアドレス-ディスプレイ分離駆動方式に適用することによって、X、Y駆動回路の駆動素子の数を減らしうる。しかし、アドレス-ディスプレイ重畳駆動方式ではないので、プラズマディスプレイパネルから出射される光の輝度をより高められない。
【００１０】
【発明が解決しようとする課題】
そこで、本発明は、論理積駆動によってX、Y駆動回路の駆動素子の数を減らしうるだけでなく、アドレス-ディスプレイ重畳駆動によってプラズマディスプレイパネルから出射される光の輝度をより高められるプラズマディスプレイパネルの駆動方法を提供することを目的とする。
【００１１】
【課題を解決するための手段】
前記目的を達成するための本発明のプラズマディスプレイパネルの駆動方法は、お互い対向離隔された前面基板と背面基板を有し、前記基板間にX及びY電極ラインがお互い並んで形成され、アドレス電極ラインが前記X及びY電極ラインに対して直交に形成されて、各交差点に相応する放電セルが設定されるプラズマディスプレイパネルを駆動する方法である。この方法は、前記X電極ラインを複数のXグループに等分し前記Y電極ラインも複数のYグループに等分するが、お互い隣接した各々のXY電極ライン対が属する各々のXYグループ対を全て異に設定し、前記X、Y電極ラインをX、Yグループ単位で共通結線して駆動するが、単位ディスプレイ周期で階調ディスプレイのための少なくとも第１及び第２サブフィールドを重畳的に駆動する方法である。ここで走査段階、アドレス段階、ディスプレイ段階、第２駆動段階及び反復段階が遂行される。
【００１２】
前記走査段階では、前記第１サブフィールドの一XY電極ライン対が属するXYグループ対のY電極ラインに第１極性のY走査パルスが印加されると同時にX電極ラインに前記第１極性と反対の第２極性のX走査パルスが印加されて、前記XY電極ライン対周囲の放電空間に壁電荷が形成される。
【００１３】
前記アドレス段階では、前記第１サブフィールドのXY電極ライン対に相応するデータ信号が全てのアドレス電極ラインに印加されて、選択されない放電セルに形成された壁電荷が消去される。
【００１４】
前記ディスプレイ段階では、前記XY電極ライン対が属するXYグループ対の電極ラインにディスプレイパルスが交互に印加されて、壁電荷が形成されている放電セルでディスプレイ放電が起こる。
【００１５】
前記第２駆動段階では、前記第２サブフィールドの一XY電極ライン対が属するXYグループ対に対して前記走査、アドレス及びディスプレイ段階が遂行されるが、前記アドレス段階が相異なる時間に遂行される。
【００１６】
前記反復段階では、前記走査、アドレス、ディスプレイ及び第２駆動段階が前記第１及び第２サブフィールドの残りのXY電極ライン対が属するXYグループ対に対して反復遂行される。
【００１７】
本発明の前記プラズマディスプレイパネルの駆動方法によれば、前記各々のXY電極ライン対が自分が属するXYグループ対別に駆動されるので論理積駆動が遂行される。また、前記走査、アドレス、ディスプレイ及び第２駆動段階の反復遂行により各サブフィールドが重畳的に駆動される。これにより、論理積駆動によってX、Y駆動回路の駆動素子の数を減らしうるだけでなく、アドレス-ディスプレイ重畳駆動によってプラズマディスプレイパネルから出射される光の輝度をさらに高められる。
【００１８】
【発明の実施の形態】
以下、添付した図面を参照して本発明の望ましい実施の形態に対して詳細に説明する。
【００１９】
図１は、本発明の駆動方法が適用されるプラズマディスプレイパネルの電極ラインの結線状態を示す。図１を参照すれば、X電極ラインX1,...,Xnはn/３(nはXY電極ライン対の個数)個のXグループXG1,...,XGn/3に等分され、Y電極ラインY1,...,Ynもn/３個のYグループYG1,...,YGn/3に等分される。また、各グループの電極ラインは共通結線されて駆動される。ここで、お互い隣接した各々のXY電極ライン対X1Y1,X2Y2,...,XnYnが属する各々のXYグループ対XG1YG1,XG1YG2,XG1YG3,XG2YG1,XG2YG2,XG2YG3,XG3YG1,XG3YG2,XG3YG3,...が全て異に設定される。
【００２０】
このようにX、Y電極ラインが結線された状態で、以下説明される論理積及びアドレス-ディスプレイ重畳駆動の遂行によってX駆動部３１及びY駆動部３２の出力駆動素子の個数を各々１/３に減らしうるだけでなく、プラズマディスプレイパネル１から出射される光の輝度をさらに高められる。図１で参照符号３３は、アドレス電極ラインAR1,AG1,AB1,...ARm,AGm,ABmを駆動するためのアドレス駆動部を示す。
【００２１】
図２は、本発明の駆動方法で採用するアドレス-ディスプレイ重畳駆動方式の単位ディスプレイ周期を示す。図２を参照すれば、全てのX、Yグループの電極ラインにディスプレイパルスが持続的に印加され、走査及びアドレスパルスが各ディスプレイパルス間で印加される。即ち、単位サブフィールド内で走査及びアドレス駆動は、個別的なXY電極ライン対が属するXYグループ対の電極ラインに対して順次に遂行され、残る時間中にはディスプレイ段階が遂行される。ここで、走査及びアドレス駆動のためのXY電極ライン対の順序はサブフィールドの駆動順序に従って設定される。例えば、第１サブフィールドSF1のいずれか一XY電極ライン対が属するXYグループ対の電極ラインが駆動された後、第２サブフィールドSF2のいずれか一XY電極ライン対が属するXYグループ対の電極ラインが駆動される。このような設定に従って第８サブフィールドSF8のいずれか一XY電極ライン対が属するXYグループ対の電極ラインが駆動されれば、再び第１サブフィールドSF1のさらに他のXY電極ライン対が属するXYグループ対の電極ラインが駆動される。
【００２２】
図２を参照すれば、単位表示周期、例えばフレームは時分割階調表示のために８個のサブフィールドSF1,...,SF8に区分される。各サブフィールドでは走査、アドレス及びディスプレイ段階が遂行され、各サブフィールドに割当てられる時間は階調に相応するディスプレイ時間によって決定される。例えば、８ビット映像データとしてフレーム単位で２５６階調を表示する場合に単位フレーム(一般に１／６０秒)が２５６単位時間でなされるならば、最下位ビットの映像データに従って駆動される第１サブフィールドSF1は１(２0)単位時間、第２サブフィールドSF2は２(２1)単位時間、第３サブフィールドSF3は４(２2)単位時間、第４サブフィールドSF4は８(２3)単位時間、第５サブフィールドSF5は１６(２4)単位時間、第６サブフィールドSF6は３２(２5)単位時間、第７サブフィールドSF7は６４(２6)単位時間、そして最上位ビットの映像データに従って駆動される第８サブフィールドSF8は１２８(２7)単位時間を各々有する。即ち、各サブフィールドに割当てられた単位時間の和は２５５単位時間であるので、２５５階調表示が可能で、ここにいずれのサブフィールドでもディスプレイされない階調を含めば２５６階調表示が可能である。ここで、単位サブフィールドの時間は単位フレームの時間と同一であるが、各単位サブフィールドは駆動されるXY電極ライン対を基準としてお互い重畳されて単位フレームを構成する。
【００２３】
このようなアドレス-ディスプレイ重畳駆動が図１の結線方式に適用されるにつれて、X駆動部３１及びY駆動部３２の出力駆動素子の個数を各々１/３に減らしうるだけでなく、プラズマディスプレイパネル１から出射される光の輝度をより高められる。以下では、本発明のアドレス-ディスプレイ重畳駆動及び論理積駆動の方法がより具体的に説明される。
【００２４】
図３は、本発明の第１の実施の形態によって図１の第１XY電極ライン対X1,Y1が属するXYグループ対XG1,YG1に印加される駆動信号を示す。図３で参照符号SYG1は第１YグループYG1の駆動信号、SXG1は第１XグループXG1の駆動信号、そしてSAR1...Abmは全てのアドレス電極ライン(図１のAR1,AG1,AB1,...ARm,AGm,ABm)に印加されるデータ信号を各々示す。
【００２５】
図３を参照すれば、第１XYグループ対XG1,YG1にYディスプレイパルスPDY1,PDY2,...とXディスプレイパルスPDX1,PDX2,...が交互に印加される。YディスプレイパルスPDY0及び第１YディスプレイパルスPDY0,PDY1間の時間にはいずれか一つのサブフィールド(図２のSF1乃至SF8中でいずれか一つ)の第１XY電極ライン対X1,Y1に対する走査周期TS1及びアドレス周期TA1が設定される。参照符号TD1はそのサブフィールドの第１XY電極ライン対Y1,X1に対するディスプレイ周期を示す。
【００２６】
いずれか一つのサブフィールドのいずれか一つのXY電極ライン対、例えば第１XY電極ライン対X1,Y1の走査周期TS1では、その電極ライン対X1,Y1が属するXYグループ対XG1,YG1のY電極ライン(図１のY1,Y4,Y7)に負極性のY走査パルスPSY1が印加され、X電極ライン(図１のX1,X2,X3)に正極性のX走査パルスPSX1が印加される。これにより、第１Y電極ラインY1周囲の放電空間に正極性の壁電荷が形成され、第１X電極ラインX1周囲の放電空間に負極性の壁電荷が形成される。この走査パルスPSY1,PSX1の印加が終った時点で第１XY電極ライン対X1,Y1間に壁電荷による電圧が存在する。従って、第１XグループXG1に印加される負極性のディスプレイパルスPDX1によって第１XY電極ライン対X1,Y1間で放電が遂行されて、第１Y電極ラインY1周囲の放電空間に負極性の壁電荷が形成され、第１X電極ラインX1周囲の放電空間に正極性の壁電荷が形成される。
【００２７】
続くアドレス周期TA1では、第１XY電極ライン対X1,Y1に相応するデータ信号SAR1...ABmが全てのアドレス電極ラインAR1,AG1,...,AGm,ABmに印加されて、選択されない放電セルに形成された壁電荷が消去される。即ち、負極性のデータパルスPA1が選択されない放電セルのアドレス電極ラインに印加されることによって、選択されない放電セルに形成された壁電荷が消去される。
【００２８】
続くディスプレイ周期TD1では、第１XY電極ライン対X1,Y1が属するXYグループ対XG1,YG1の電極ラインにディスプレイパルスPDY1,PDX2,PDY2,PDX3,PDY3,PDX4,...が交互に印加されて、壁電荷が形成されている放電セルでディスプレイ放電が起こる。
【００２９】
前記の走査及びアドレス周期TS1、TA1の駆動過程は、さらに他のサブフィールドのXY電極ライン対が属するXYグループ対に対して持続的に遂行される。例えば、第１及び第２ディスプレイパルスPDY1,PDY2間の時間でさらに他のサブフィールドのXY電極ライン対に対して走査及びアドレス段階が遂行され、第２及び第３ディスプレイパルスPDY2,PDY3間の時間でさらに他のサブフィールドのXY電極ライン対に対して走査及びアドレス段階が遂行される。
【００３０】
図４は、本発明の第２の実施の形態によって図３の第１XY電極ライン対X1,Y1が属するXYグループ対XG1,YG1に印加される駆動信号を示す。図４で図３と同じ参照符号は同じ機能の対象を示す。図４を参照すれば、アドレス周期TA1で、選択されない放電セルの壁電荷を消去するためのアドレス信号のデータパルスPA1が印加される間に、第１XY電極ライン対X1,Y1が属するXYグループ対XG1,YG1の電極ラインにアドレス信号のデータパルスPA1と反対極性のバイアスパルスPBX1,PBY1が印加される。これにより、選択されない放電セルの壁電荷をよりたくさん消去できる。
【００３１】
図５は、図４の駆動波形によって第１サブフィールド(図２のSF1)の第１XY電極ライン対(図１のY1,X1)、第１サブフィールドSF1の第２XY電極ライン対(図１のY2,X2)、及び第２サブフィールド(図２のSF2)の第１XY電極ライン対(図１のY1,X1)が駆動される過程を示す。図５で図４と同じ参照符号は同じ機能の対象を示す。参照符号SYG2は第２Yグループ(図１のYG2)の駆動信号、SYG3は第３Yグループ(図１のYG3)の駆動信号、SXG2は第２Xグループ(図１のXG2)の駆動信号、そしてSXG3は第３Xグループ(図１のXG3)の駆動信号を各々示す。
【００３２】
図５を参照すれば、第１単位駆動周期０H〜１Hの開始時間で第１サブフィールドSF1の第１XY電極ライン対X1,Y1に対する走査及びアドレス段階が遂行される。次に、第１YディスプレイパルスPDY1と第２YディスプレイパルスPDY2との時間で第２サブフィールドSF2のいずれか一XY電極ライン対に対する走査及びアドレス段階が遂行される(図示せず)。次に、第２YディスプレイパルスPDY2と第３YディスプレイパルスPDY3との時間で第３サブフィールドSF3のいずれか一XY電極ライン対に対する走査及びアドレス段階が遂行される(図示せず)。従って、第８YディスプレイパルスPDY8の印加直前に第８サブフィールド(図２のSF8)のいずれか一XY電極ライン対に対する走査及びアドレス段階が遂行される(図示せず)。
【００３３】
次に、第２単位駆動周期(１H〜)の開始時間で第１サブフィールドSF1の第２XY電極ライン対X2,Y2に対する走査及びアドレス段階が遂行される。また、第９YディスプレイパルスPDY9と第１０YディスプレイパルスPDY10との時間で第２サブフィールドSF2の第１XY電極ライン対X1,Y1に対する走査及びアドレス段階が遂行される。次に、第１０YディスプレイパルスPDY10と第１１YディスプレイパルスPDY11との間で第３サブフィールドSF3のいずれか一XY電極ライン対に対する走査及びアドレス段階が遂行される(図示せず)。同じく、第１１YディスプレイパルスPDY11と第１２YディスプレイパルスPDY12との間で第４サブフィールドSF4のいずれか一XY電極ライン対に対する走査及びアドレス段階が遂行される(図示せず)。
【００３４】
図６は、図５のディスプレイパルスの極性が正極性に変換された状態を示す。図６で図５と同じ参照符号は同じ機能の対象を示す。
【００３５】
図６を参照すれば、第１単位駆動周期(０H〜１H)の開始時間で第１サブフィールド(図２のSF1)の第１XY電極ライン対X1,Y1に対する走査及びアドレス段階が遂行される。その過程を詳述すれば、第１サブフィールドSF1のいずれか一XY電極ライン対、例えば、第１XY電極ライン対X1,Y1が属するXYグループ対XG1,SYG1のY電極ライン(図１のY1,Y4,Y7)に正極性のY走査パルスPSY1が印加され、X電極ライン(図１のX1,X2,X3)に負極性のX走査パルスPSX1が印加される。これにより、第１Y電極ラインY1周囲の放電空間に負極性の壁電荷が形成され、第１X電極ラインX1周囲の放電空間に正極性の壁電荷が形成される。この走査パルスPSY1,PSX1の印加が終った時点で第１XY電極ライン対X1,Y1間に壁電荷による電圧が存在する。従って、第１XグループXG1に印加される正極性のディスプレイパルスPDX1によって第１XY電極ライン対X1,Y1間で放電が遂行されて、第１Y電極ラインY1周囲の放電空間に正極性の壁電荷が形成され、第１X電極ラインX1周囲の放電空間に負極性の壁電荷が形成される。
【００３６】
次に、第１XY電極ライン対X1,Y1に相応するデータ信号SAR1...ABmが全てのアドレス電極ラインAR1,AG1,...,AGm,ABmに印加されて、選択されない放電セルに形成された壁電荷が消去される。即ち、正極性のデータパルスPA1が選択されない放電セルのアドレス電極ラインに印加されることによって、選択されない放電セルに形成された壁電荷が消去される。アドレス信号のデータパルスPA1が印加される間に、第１XY電極ライン対X1,Y1が属するXYグループ対XG1,YG1の電極ラインにアドレス信号のデータパルスPA1と逆極性のバイアスパルスPBX1,PBY1が印加される。これにより、選択されない放電セルの壁電荷をよりたくさん消去できる。
【００３７】
次に、第１単位駆動周期(０H〜１H)の終了時点まで第１XY電極ライン対X1,Y1が属するXYグループ対XG1,YG1の電極ラインにディスプレイパルスPDY1,PDX2,PDY2,PDX3,PDY3,PDX4,...が交互に印加されて、壁電荷が形成されている放電セルでディスプレイ放電が起こる。ここで、第１YディスプレイパルスPDY1と第２YディスプレイパルスPDY2との間で第２サブフィールドSF2のいずれか一XY電極ライン対に対する走査及びアドレス段階が遂行される(図示せず)。次に、第２YディスプレイパルスPDY2と第３YディスプレイパルスPDY3との時間で第３サブフィールドSF3のいずれか一XY電極ライン対に対する走査及びアドレス段階が遂行される(図示せず)。従って、第８YディスプレイパルスPDY8の印加直前に第８サブフィールド(図２のSF8)のいずれか一XY電極ライン対に対する走査及びアドレス段階が遂行される(図示せず)。
【００３８】
次に、第２単位駆動周期(１H〜)の開始時間で、第１サブフィールドSF1の第２XY電極ライン対X2,Y2に対する走査及びアドレス段階が遂行される。また、第９YディスプレイパルスPDY9と第１０YディスプレイパルスPDY10との時間で第２サブフィールドSF2の第１XY電極ライン対X1,Y1に対する走査及びアドレス段階が遂行される。次に、第１０YディスプレイパルスPDY10と第１１YディスプレイパルスPDY11との間で第３サブフィールドSF3のいずれか一XY電極ライン対に対する走査及びアドレス段階が遂行される(図示せず)。同じく、第１１YディスプレイパルスPDY11と第１２YディスプレイパルスPDY12との間で第４サブフィールドSF4のいずれか一XY電極ライン対に対する走査及びアドレス段階が遂行される(図示せず)。
【００３９】
図７は、本発明の第３の実施の形態によって図１の第１XY電極ライン対X1,Y1が属するXYグループ対XG1,YG1に印加される駆動信号を示す。図８は、図７の駆動波形によって第１サブフィールドの第１XY電極ライン対X1,Y1、第１サブフィールドの第２XY電極ライン対X2,Y2、及び第２サブフィールドの第１XY電極ライン対X1,Y1が駆動される過程を示す。図９は、図７の各時点での放電セルの状態を示す。図７、８及び９で、図５及び６と同じ参照符号は同じ機能の対象を示す。図９で参照符号Xはいずれか一放電セルのX電極、Yはいずれか一放電セルのY電極、Dはいずれか一放電セルのアドレス電極を各々示す。
【００４０】
図７、８及び９を参照すれば、第１単位駆動周期０H〜１Hの開始時間で第１サブフィールド(図２のSF1)の第１XY電極ライン対X1,Y1に対する走査及びアドレス段階が遂行される。その過程を詳述すれば、第１XY電極ライン対X1,Y1の走査周期TS1では、その電極ライン対X1,Y1が属するXYグループ対XG1,SYG1のY電極ライン(図３のY1,Y4,Y7)に負極性のYリセットパルスPRY1が印加され、X電極ライン(図３のX1,X2,X3)に正極性のXリセットパルスPRX1が印加される。これにより、第１XY電極ライン対X1,Y1周囲の放電空間に存在する壁電荷が消去される(t１時点)。このような消去動作は、続く走査及びアドレス駆動(t２、t３時点)の正確度を高めるためである。
【００４１】
次に、第１XY電極ライン対X1,Y1が属するXYグループ対XG1,YG1のY電極ラインY1,Y4,Y7に正極性のY走査パルスPSY1が印加され、X電極ラインX1,X2,X3に負極性のX走査パルスPSX1が印加される。これにより、第１Y電極ラインY1周囲の放電空間に負極性の壁電荷が形成され、第１X電極ラインX1周囲の放電空間に正極性の壁電荷が形成される(t２時点)。この走査パルスPSY1,PSX1の印加が終った時点で第１XY電極ライン対X1,Y1間に壁電荷による電圧が存在する。
【００４２】
続くアドレス周期TA1では、第１XY電極ライン対X1,Y1に相応するデータ信号SAR1...ABmが全てのアドレス電極ラインAR1,AG1,...,AGm,ABmに印加されて、選択されない放電セルに形成された壁電荷が消去される。即ち、正極性のデータパルスPA1が選択されない放電セルのアドレス電極ラインに印加されることによって、選択されない放電セルに形成された壁電荷が消去される。アドレス信号のデータパルスPA1が印加される間に、第１XY電極ライン対X1,Y1が属するXYグループ対XG1,YG1の電極ラインにアドレス信号のデータパルスPA1と反対極性のバイアスパルスPBX1,PBY1が印加される。これにより、選択されない放電セルの壁電荷をよりたくさん消去できる(t３時点)。
【００４３】
次に、第１単位駆動周期０H〜１Hの終了時点まで(TD1)第１XY電極ライン対X1,Y1が属するXYグループ対XG1,SYG1の電極ラインに負極性のディスプレイパルスPDY1,PDX2,PDY2,PDX3,PDY3,PDX4,...が交互に印加されて、壁電荷が形成されている放電セルでディスプレイ放電が起こる(t４時点)。ここで、第１YディスプレイパルスPDY1と第２YディスプレイパルスPDY2との間で第２サブフィールドSF2のいずれか一XY電極ライン対に対する走査及びアドレス段階が遂行される(図示せず)。次に、第２YディスプレイパルスPDY2と第３YディスプレイパルスPDY3との時間で第３サブフィールドSF3のいずれか一XY電極ライン対に対する走査及びアドレス段階が遂行される(図示せず)。従って、第８YディスプレイパルスPDY8の印加直前に第８サブフィールド(図２のSF8)のいずれか一XY電極ライン対に対する走査及びアドレス段階が遂行される(図示せず)。
【００４４】
次に、第２単位駆動周期(１H〜)の開始時間で、第１サブフィールドSF1の第２XY電極ライン対X2,Y2に対する走査及びアドレス段階が遂行される。また、第９YディスプレイパルスPDY9と第１０YディスプレイパルスPDY10との時間で第２サブフィールドSF2の第１XY電極ライン対X1,Y1に対する走査及びアドレス段階が遂行される。次に、第１０YディスプレイパルスPDY10と第１１YディスプレイパルスPDY11との間で第３サブフィールドSF3のいずれか一XY電極ライン対に対する走査及びアドレス段階が遂行される(図示せず)。同じく、第１１YディスプレイパルスPDY11と第１２YディスプレイパルスPDY12との間で第４サブフィールドSF4のいずれか一XY電極ライン対に対する走査及びアドレス段階が遂行される(図示せず)。
【００４５】
図１０は、本発明の第４の実施の形態によって第１サブフィールドの第１XY電極ライン対X1,Y1、第１サブフィールドの第２XY電極ライン対X2,Y2、及び第２サブフィールドの第１XY電極ライン対X1,Y1が駆動される過程を示す。図１０で図８と同じ参照符号は同じ機能の対象を示す。図１０の駆動波形は、図８の駆動波形に周期的なバイアスパルスPBY1,PBX1,...,PBY9,PBX9,PBY10,PBX10,...がさらに含まれている。即ち、全てのXYグループ(図１のYG1,...,YGn/3,XG1,...,XGn/3)の電極ラインに各々のディスプレイパルスPDY0,PDX1,...,PDY12,PDX13,...が印加される前に、アドレス段階で印加されるバイアスパルスPBY1,PBX1,PBY9,PBX9,PBY10,PBX10と同じ極性と電圧のバイアスパルスが印加される。これにより、時間的誤差に従う駆動エラーを減らしうる。
【００４６】
図１１は、本発明の第５の実施の形態によって第１サブフィールドの第１XY電極ライン対X1,Y1、第１サブフィールドの第２XY電極ライン対X2,Y2、及び第２サブフィールドの第１XY電極ライン対X1,Y1が駆動される過程を示す。図１１で、図１０と同じ参照符号は同じ機能の対象を示す。図１１の駆動波形は、図１０の駆動波形に周期的な補助パルスPSY1,...,PSX1,...がさらに含まれている。即ち、全てのXYグループ(図１のYG1,...,YGn/3,XG1,...,XGn/3)の電極ラインに各々のディスプレイパルスPDY0,PDX1,...,PDY12,PDX13,...が印加される前にバイアスパルスPBY1,PBX1,...,PBY9,PBX9,PBY10,PBX10,...が印加され、このバイアスパルスが印加される前に走査段階で印加される走査パルスPSY1,PSX1,PSY9,PSX9,PSY10,PSX10と同じ極性と電圧の補助パルスが印加される。これにより、時間的誤差に従う駆動エラーをさらに減らしうる。
【００４７】
図１２は、本発明の第６の実施の形態によって第１サブフィールドの第１XY電極ライン対X1,Y1と第２XY電極ライン対X2,Y2が駆動される過程を示す。図１２で、図１０と同じ参照符号は同じ機能の対象を示す。図１２の駆動方法は、図８の駆動方法において走査及びアドレス段階間の休止期をさらに含む。
【００４８】
図１２を参照すれば、走査パルスPSX1,PSY1が第１XYグループ対(図１のXG1,YG1)に印加された後、データパルスPA9が印加される前まで単位駆動周期０H〜１Hと同じ時間の第１休止期が存在する。この第１休止期では、第１XY電極ライン対(図１のX1,Y1)間の走査放電による空間電荷を適切に消去するために、休止パルスPPY1,PPX1,...,PPY8が第１XY電極ライン対X1,Y1が属するXYグループ対XG1,YG1の電極ラインに印加される。これにより、第１XY電極ライン対X1,Y1周囲の放電空間に空間電荷が過多にならずに安定した状態を示す。
【００４９】
第１Y休止パルスPPY1と第２Y休止パルスPPY2との時間では第２サブフィールドのいずれか一XY電極ライン対で走査放電が起こる。従って、第７Y休止パルスPPY7と第８Y休止パルスPPY8との時間では第８サブフィールドのいずれか一XY電極ライン対で走査放電が起こる。
【００５０】
第２単位駆動周期１H〜２Hの開始時間では、走査パルスPSX9,PSY9が第２XYグループ対(図３のXG1,YG2)に印加された後、データパルスPA17が印加される前まで第２単位駆動周期１H〜２Hと同じ時間の第９休止期が存在する。第９Y休止パルスPPY9と第１０Y休止パルスPPY10との時間では第２サブフィールドのいずれか一XY電極ライン対で走査放電が起こる。従って、第１５Y休止パルスPPY15と第１６Y休止パルスPPY16との時間では第８サブフィールドのいずれか一XY電極ライン対で走査放電が起こる。
【００５１】
第３単位駆動周期２H〜３Hの開始時間では、第１サブフィールドの第３XY電極ライン対X3,Y3で走査放電が起こる(PSX17及びPSY17参照)。そして、データパルス(図示せず)が印加される前まで第３単位駆動周期２H〜３Hと同じ時間の第１７休止期が存在する。第１８X休止パルスPPX18の直前及び直後時間に第２サブフィールドの第１XY電極ライン対X1,Y1が走査される(PRX18,PRY18,PSX18及びPSY18参照)。
【００５２】
図１３は、本発明の第７の実施の形態によって第１サブフィールドの第１XY電極ライン対X1,Y1と第２XY電極ライン対X2,Y2が駆動される過程を示す。図１３で、図１２と同じ参照符号は同じ機能の対象を示す。
【００５３】
図１３を参照すれば、リセットパルスPRX1,PRY1が第１XYグループ対(図１のXG1,YG1)に印加された後、走査パルスPSX9,PSY9が印加される前まで単位駆動周期０H〜１Hと同じ時間の第１休止期が存在する。この第１休止期では、第１XY電極ライン対(図１のX1,Y1)間のリセット放電による空間電荷を適切に消去するために、休止パルスPPY1,PPX1,...,PPY8が第１XY電極ライン対X1,Y1が属するXYグループ対XG1,YG1の電極ラインに印加される。これにより、第１XY電極ライン対X1,Y1周囲の放電空間に空間電荷が過多にならずに安定した状態を示す。
【００５４】
第１Y休止パルスPPY1と第２Y休止パルスPPY2との時間では、第２サブフィールドのいずれか一XY電極ライン対でリセット放電が起こる(図示せず)。従って、第７Y休止パルスPPY7と第８Y休止パルスPPY8との時間では第８サブフィールドのいずれか一XY電極ライン対でリセット放電が起こる(図示せず)。
【００５５】
第２単位駆動周期１H〜２Hの開始時間では、リセットパルスPRX9,PRY9が第２XYグループ対(図１のXG2,YG2)に印加された後、走査パルスPSX17,PSY17が印加される前まで第２単位駆動周期１H〜２Hと同じ時間の第９休止期が存在する。第９Y休止パルスPPY9と第１０Y休止パルスPPY10との時間では、第２サブフィールドのいずれか一XY電極ライン対でリセット放電が起こる(図示せず)。従って、第１５Y休止パルスPPY15と第１６Y休止パルスPPY16との時間では第８サブフィールドのいずれか一XY電極ライン対でリセット放電が起こる(図示せず)。
【００５６】
第３単位駆動周期２H〜３Hの開始時間では、第１サブフィールドの第３XY電極ライン対X3,Y3でリセット放電が起こる(PRX17及びPRY17参照)。そして、走査パルス(図示せず)が印加される前まで単位駆動周期２H〜３Hと同じ時間の第１７休止期が存在する。このリセット放電(PRX17及びPRY17参照)後には第２サブフィールドの第１XY電極ライン対X1,Y1でリセット放電が遂行される(PRY18及びPRX18参照)。
【００５７】
図１４は、本発明の第８の実施の形態によって第１サブフィールドの第１XY電極ライン対X1,Y1、第２XY電極ライン対X2,Y2、及び第３XY電極ライン対X3,Y3が駆動される過程を示す。図１４で図１３と同じ参照符号は同じ機能の対象を示す。
【００５８】
図１４を参照すれば、リセットパルスPRX1,PRY1が第１XYグループ対(図１のXG1,YG1に印加された後、走査パルスPSX9,PSY9が印加される前まで単位駆動周期０H〜１Hと同じ時間の第１休止期が存在する。また、データパルスPA9がディスプレイされないアドレス電極ラインに印加された後、ディスプレイパルスPDY17,...が印加される前まで単位駆動周期１H〜２Hと同じ時間の第２休止期が存在する。この第１及び第２休止期では、第１XY電極ライン対(図１のX1,Y1)間のリセットまたはアドレス放電による空間電荷を適切に消去するために、休止パルスPPY1,...が第１XY電極ライン対X1,Y1が属するXYグループ対XG1,YG1の電極ラインに印加される。これにより、第１XY電極ライン対X1,Y1周囲の放電空間に空間電荷が過多にならずに安定した状態を示す。
【００５９】
第１Y休止パルスPPY1と第２Y休止パルスPPY2との時間では第２サブフィールドのいずれか一XY電極ライン対でリセット放電が起こる(図示せず)。従って、第７Y休止パルスPPY7と第８Y休止パルスPPY8との時間では第８サブフィールドのいずれか一XY電極ライン対でリセット放電が起こる(図示せず)。続く第２単位駆動周期１H〜２Hにおいて、第８Y休止パルスPPY8と第９Y休止パルスとの時間では第１サブフィールドの第１XY電極ライン対に対するアドレス放電が遂行される(PBX9,PBY9,PA9参照)。従って、第１５及び第１６Y休止パルスPPY15,PPY16との時間では第８サブフィールドのいずれか一XY電極ライン対にアドレス放電が遂行される(図示せず)。
【００６０】
一方、第８Y休止パルスPPY8及び第９Y休止パルスPPY9との時間にリセットパルスPRX9,PRY9が第２XYグループ対XG2,YG2に印加された後、走査パルスPSX17,PSY17が印加される前まで単位駆動周期１H〜２Hと同じ時間の第１休止期が存在する。また、データパルスPA17がディスプレイされないアドレス電極ラインに印加された後、ディスプレイパルスが印加される前まで単位駆動周期と同じ時間の第２休止期が存在する。
【００６１】
第９及び第１０Y休止パルス間の時間では第２サブフィールドのいずれか一XY電極ライン対でリセット放電が起こる(図示せず)。従って、第１５及び第１６Y休止パルス間の時間では第８サブフィールドのいずれか一XY電極ライン対でリセット放電が起こる(図示せず)。続く第３単位駆動周期２H〜３Hにおいて、第１６及び第１７Y休止パルス間の時間では第１サブフィールドの第２XY電極ライン対に対するアドレス放電が遂行される(PBX17,PBY17,PA17参照)。従って、第２３及び第２４Y休止パルス間の時間では第８サブフィールドのいずれか一XY電極ライン対にアドレス放電が遂行される(図示せず)。
【００６２】
同じく、第１６及び第１７Y休止パルス間の時間にリセットパルスPRX17,PRY17が第３XYグループ対XG3,YG3に印加された後、走査パルスPSX25,PSY25が印加される前まで単位駆動周期２H〜３Hと同じ時間の第１休止期が存在する。また、データパルスPA25がディスプレイされないアドレス電極ラインに印加された後、ディスプレイパルスが印加される前まで単位駆動周期と同じ時間の第２休止期が存在する。
【００６３】
第１７及び第１８Y休止パルス間の時間では第２サブフィールドのいずれか一XY電極ライン対でリセット放電が起こる(図示せず)。従って、第２３及び第２４Y休止パルス間の時間では第８サブフィールドのいずれか一XY電極ライン対でリセット放電が起こる(図示せず)。続く第４単位駆動周期３H〜４Hにおいて、第２４及び第２５Y休止パルス間の時間では第１サブフィールドの第３XY電極ライン対X3,Y3に対するアドレス放電が遂行される(PBX25,PBY25,PA25参照)。一方、第２４及び第２５Y休止パルス間の時間では第２サブフィールドの第１XY電極ライン対X1,Y1に対するリセット放電が遂行される(PRX26,PRY27参照)。
【００６４】
【発明の効果】
以上説明したように、本発明に係るプラズマディスプレイパネルの駆動方法によれば、各々のXY電極ライン対が自身が属するXYグループ対別に駆動されるので論理積駆動が遂行される。また、走査、アドレス、ディスプレイ及び第２駆動段階の反復遂行によって各サブフィールドが重畳的に駆動される。これにより、論理積駆動によってX、Y駆動回路の駆動素子の数を減らしうるだけでなく、アドレス-ディスプレイ重畳駆動によってプラズマディスプレイパネルから出射される光の輝度をさらに高められる。
【００６５】
なお、本発明は、前記実施の形態に限らず、特許請求の範囲に記載された発明の思想及び範囲内で当業者によって変形及び改良できる。
【図面の簡単な説明】
【図１】本発明の駆動方法が適用されるプラズマディスプレイパネルの電極ラインの結線図である。
【図２】本発明の駆動方法で採用するアドレス-ディスプレイ重畳駆動方式の単位ディスプレイ周期を示すタイミング図である。
【図３】本発明の第１の実施の形態によって図１の第１XY電極ライン対X1,Y1が属するXYグループ対XG1,YG1に印加される駆動信号の波形図である。
【図４】本発明の第２の実施の形態によって図１の第１XY電極ライン対X1,Y1が属するXYグループ対XG1,YG1に印加される駆動信号の波形図である。
【図５】図４の駆動波形によって第１サブフィールドの第１XY電極ライン対X1,Y1,第１サブフィールドの第２XY電極ライン対X2,Y2及び第２サブフィールドの第１XY電極ライン対X1,Y1が駆動される過程を示すタイミング図である。
【図６】図５のディスプレイパルスの極性が正極性に変換された状態を示すタイミング図である。
【図７】本発明の第３の実施の形態によって図１の第１XY電極ライン対X1,Y1が属するXYグループ対XG1,YG1に印加される駆動信号の波形図である。
【図８】図７の駆動波形によって第１サブフィールドの第１XY電極ライン対X1,Y1,第１サブフィールドの第２XY電極ライン対X2,Y2及び第２サブフィールドの第１XY電極ライン対X1,Y1が駆動される過程を示すタイミング図である。
【図９】図７の各時点での放電セルの状態を示す図面である。
【図１０】本発明の第４の実施の形態によって第１サブフィールドの第１XY電極ライン対X1,Y1,第１サブフィールドの第２XY電極ライン対X2,Y2及び第２サブフィールドの第１XY電極ライン対X1,Y1が駆動される過程を示すタイミング図である。
【図１１】本発明の第５の実施の形態によって第１サブフィールドの第１XY電極ライン対X1,Y1,第１サブフィールドの第２XY電極ライン対X2,Y2及び第２サブフィールドの第１XY電極ライン対X1,Y1が駆動される過程を示すタイミング図である。
【図１２】本発明の第６の実施の形態によって第１サブフィールドの第１XY電極ライン対X1,Y1と第２XY電極ライン対X2,Y2が駆動される過程を示すタイミング図である。
【図１３】本発明の第７の実施の形態によって第１サブフィールドの第１XY電極ライン対X1,Y1と第２XY電極ライン対X2,Y2が駆動される過程を示すタイミング図である。
【図１４】本発明の第８の実施の形態によって第１サブフィールドの第１XY電極ライン対X1,Y1,第２XY電極ライン対X2,Y2及び第３XY電極ライン対X3,Y3が駆動される過程を示すタイミング図である。
【図１５】一般の３-電極面放電方式のプラズマディスプレイパネルの構造を示す内部斜視図である。
【図１６】図１５のパネルの一放電セルの例を示す断面図である。
【符号の説明】
３１  X駆動部
３２  Y駆動部
３３  アドレス駆動部
【図１】
0004418127.tif 000002
【図２】
0004418127.tif 000003
【図３】
0004418127.tif 000004
【図４】
0004418127.tif 000005
【図５】
0004418127.tif 000006
【図６】
0004418127.tif 000007
【図７】
0004418127.tif 000008
【図８】
0004418127.tif 000009
【図９】
0004418127.tif 000010
【図１０】
0004418127.tif 000011
【図１１】
0004418127.tif 000012
【図１２】
0004418127.tif 000013
【図１３】
0004418127.tif 000014
【図１４】
0004418127.tif 000015
【図１５】
0004418127.tif 000016
【図１６】
0004418127.tif 000017